(57)【要約】 【課題】  出力するデータ量を十分に低減することができる表示制御装置、表示装置、表示制御方法、表示制御プログラムおよび表示制御プログラムを記録したコンピュータ読み取り可能な記録媒体を提供する。【解決手段】  監視部２２は、現在表示しているライン中の１画素でも黒表示があれば、そのラインについては、Ａフラグ３１をオンし、ライン中の１画素でもデータが書き込まれればＢフラグ３２をオンし、ライン中の１画素でも白表示以外のデータが書き込まれればＣフラグ３３をオンする。演算部２３は、論理演算によりディスプレイドライバに対してデータを出力するラインかどうかを示すＤフラグ３４をセットする。描画信号生成回路４は、このＤフラグ３４に基づいて表示用データを出力する。【選択図】      図１
2006251072.tif 000002
【特許請求の範囲】
【請求項１】
入力された画像データを表示メモリに書き込み、表示メモリに書き込んだ画像データに基づく表示用データを液晶表示パネルに出力する表示制御装置であって、
前記入力された画像データを表示メモリに書き込む制御部と、
前記液晶表示パネルの表示ラインに対応するフラグと、
前記画像データの状態をフラグに書き込む監視部と、
前記液晶表示パネルに対して表示用データを出力する出力部とを備え、
前記画像データは、画素ごとに表示、非表示を示す画素データを含み、
前記フラグは、
現在液晶表示パネルに表示している画像データの状態を示す第１フラグと、
前記表示メモリに書き込む画像データの状態を示す第２および第３フラグとを有し、
前記監視部は、
前記表示ラインが、表示を示す画素を含むかどうかを判断して前記第１フラグに書き込み、
前記表示ラインが、前記表示メモリに画素データが書き込まれた画素を含むかどうかを判断して前記第２フラグに書き込み、
前記表示ラインが、前記表示メモリに表示を示す画素データが書き込まれた画素を含むかどうかを判断して前記第３フラグに書き込み、
前記出力部は、前記第１〜第３フラグに基づいて前記表示用データを作成して出力することを特徴とする表示制御装置。
【請求項２】
入力された画像データを表示メモリに書き込み、表示メモリに書き込んだ画像データに基づく表示用データを液晶表示パネルに出力する表示制御装置であって、
前記入力された画像データを表示メモリに書き込む制御部と、
前記液晶表示パネルの表示ラインに対応するフラグと、
前記画像データの状態をフラグに書き込む監視部と、
前記表示用データの状態をフラグに書き込む演算部と、
前記液晶表示パネルに対して表示用データを出力する出力部とを備え、
前記画像データは、画素ごとに表示、非表示を示す画素データを含み、
前記フラグは、
現在液晶表示パネルに表示している画像データの状態を示す第１フラグと、
前記表示メモリに書き込む画像データの状態を示す第２および第３フラグと、
前記表示用データの状態を示す第４フラグとを有し、
前記監視部は、
前記表示ラインが、表示を示す画素を含むかどうかを判断して前記第１フラグに書き込み、
前記表示ラインが、前記表示メモリに画素データが書き込まれた画素を含むかどうかを判断して前記第２フラグに書き込み、
前記表示ラインが、前記表示メモリに表示を示す画素データが書き込まれた画素を含むかどうかを判断して前記第３フラグに書き込み、
前記演算部は、前記第１〜第３フラグに基づいて論理演算を行い、画素データを出力すべき表示ラインを判断して第４フラグに書き込み、
前記出力部は、前記第４フラグに基づいて前記表示用データを作成して出力することを特徴とする表示制御装置。
【請求項３】
前記演算部の論理演算は、前記表示メモリに書き込まれた画素を含む表示ラインが、表示画素を含む表示ラインか、または表示を示す画素データが前記表示メモリに書き込まれた画素を含む表示ラインかを判断することを特徴とする請求項２記載の表示制御装置。
【請求項４】
前記演算部は、前記第１〜第３フラグに基づいて論理演算を行い、表示画素を含む表示ラインを示す第５フラグに書き込み、
前記監視部は、前記第５フラグに基づいて表示画素を含むかどうかを判断し、前記第１フラグを書き換えることを特徴とする請求項２記載の表示制御装置。
【請求項５】
入力されたカラー画像データを表示メモリに書き込み、表示メモリに書き込んだカラー画像データに基づく表示用データを液晶表示パネルに出力する表示制御装置であって、
前記入力されたカラー画像データを表示メモリに書き込む制御部と、
前記液晶表示パネルの表示ラインに対応するフラグと、
前記カラー画像データの状態をフラグに書き込む監視部と、
背景色の情報を記憶する階調記憶部と、
前記液晶表示パネルに対して表示用データを出力する出力部とを備え、
前記カラー画像データは、画素ごとに少なくとも色または階調値を示す画素データを含み、
前記フラグは、
現在液晶表示パネルに表示しているカラー画像データの状態を示す第１フラグと、
前記表示メモリに書き込むカラー画像データの状態を示す第２および第３フラグとを有し、
前記監視部は、
前記表示ラインが、背景色以外に表示を示す画素を含むかどうかを判断して前記第１フラグに書き込み、
前記表示ラインが、前記表示メモリに画素データが書き込まれた画素を含むかどうかを判断して前記第２フラグに書き込み、
前記表示ラインが、前記表示メモリに背景色以外に表示を示す画素データが書き込まれた画素を含むかどうかを判断して前記第３フラグに書き込み、
前記出力部は、前記第１〜第３フラグに基づいて前記表示用データを作成して出力することを特徴とする表示制御装置。
【請求項６】
入力されたカラー画像データを表示メモリに書き込み、表示メモリに書き込んだカラー画像データに基づく表示用データを液晶表示パネルに出力する表示制御装置であって、
前記入力されたカラー画像データを表示メモリに書き込む制御部と、
前記液晶表示パネルの表示ラインに対応するフラグと、
前記カラー画像データの状態をフラグに書き込む監視部と、
前記表示用データの状態をフラグに書き込む演算部と、
前記液晶表示パネルに対して表示用データを出力する出力部とを備え、
前記カラー画像データは、画素ごとに少なくとも色または階調値を示す画素データを含み、
前記フラグは、
現在液晶表示パネルに表示しているカラー画像データの状態を示す第１フラグと、
前記表示メモリに書き込むカラー画像データの状態を示す第２および第３フラグと、
前記表示用データの状態を示す第４フラグとを有し、
前記監視部は、
前記表示ラインが、背景色以外に表示を示す画素を含むかどうかを判断して前記第１フラグに書き込み、
前記表示ラインが、前記表示メモリに画素データが書き込まれた画素を含むかどうかを判断して前記第２フラグに書き込み、
前記表示ラインが、前記表示メモリに背景色以外に表示を示す画素データが書き込まれた画素を含むかどうかを判断して前記第３フラグに書き込み、
前記演算部は、前記第１〜第３フラグに基づいて論理演算を行い、画素データを出力すべき表示ラインを判断して第４フラグに書き込み、
前記出力部は、前記第４フラグに基づいて前記表示用データを作成して出力することを特徴とする表示制御装置。
【請求項７】
前記演算部の論理演算は、前記表示メモリに書き込まれた画素を含む表示ラインが、背景色以外の画素を含むか、または背景色以外の表示を示す画素データが前記表示メモリに書き込まれた画素を含む表示ラインかを判断することを特徴とする請求項６記載の表示制御装置。
【請求項８】
前記演算部は、前記第１〜第３フラグに基づいて論理演算を行い、背景色以外の画素を含む表示ラインを示す第５フラグに書き込み、
前記監視部は、前記第５フラグに基づいて背景色以外の画素を含むかどうかを判断し、前記第１フラグを書き換えることを特徴とする請求項６または７記載の表示制御装置。
【請求項９】
請求項１，２，５，６のいずれか１つに記載の表示制御装置と、
前記表示制御装置から出力された表示用データを表示する液晶表示パネルとを備えることを特徴とする表示装置。
【請求項１０】
入力された画像データを制御部が表示メモリに書き込み、表示メモリに書き込んだ画像データおよび前記液晶表示パネルの表示ラインに対応するフラグに基づく表示用データを出力部が液晶表示パネルに出力する表示制御方法であって、
前記画像データは、画素ごとに表示、非表示を示す画素データを含み、
前記表示ラインが、表示を示す画素を含むかどうかを判断して第１フラグに書き込み、
前記表示ラインが、前記表示メモリに画素データが書き込まれた画素を含むかどうかを判断して第２フラグに書き込み、
前記表示ラインが、前記表示メモリに表示を示す画素データが書き込まれた画素を含むかどうかを判断して第３フラグに書き込み、
前記第１〜第３フラグに基づいて、前記出力部が前記表示用データを作成して出力することを特徴とする表示制御方法。
【請求項１１】
入力されたカラー画像データを制御部が表示メモリに書き込み、表示メモリに書き込んだカラー画像データおよび前記液晶表示パネルの表示ラインに対応するフラグに基づく表示用データを出力部が液晶表示パネルに出力する表示制御方法であって、
前記カラー画像データは、画素ごとに少なくとも色または階調値を示す画素データを含み、
前記表示ラインが、背景色以外に表示を示す画素を含むかどうかを判断して第１フラグに書き込み、
前記表示ラインが、前記表示メモリに画素データが書き込まれた画素を含むかどうかを判断して第２フラグに書き込み、
前記表示ラインが、前記表示メモリに背景色以外に表示を示す画素データが書き込まれた画素を含むかどうかを判断して第３フラグに書き込み、
前記第１〜第３フラグに基づいて、前記出力部が前記表示用データを作成して出力することを特徴とする表示制御方法。
【請求項１２】
コンピュータに請求項１０または１１記載の表示制御方法を実行させることを特徴とする表示制御プログラム。
【請求項１３】
コンピュータに請求項１０または１１記載の表示制御方法を実行させることを特徴とする表示制御プログラムを記録したコンピュータ読み取り可能な記録媒体。
【発明の詳細な説明】
【技術分野】
【０００１】
本発明は、表示装置、特に表示画像に対してメモリ性を有する液晶表示装置を制御する表示制御装置、表示装置、表示制御方法、表示制御プログラムおよび表示制御プログラムを記録したコンピュータ読み取り可能な記録媒体に関する。
【背景技術】
【０００２】
画像表示装置において、動画などを表示する場合、書き換えようとする表示データの量をなるべく小さくすることで、表示データの書き換え処理の効率化を図っている。
【０００３】
たとえば、特許文献１記載の連続画像表示装置は、書き換え前の表示データと、書き換え後の表示データとを作業メモリに記憶しておき、これらの表示データを比較することで変化があった領域のデータを画像メモリに記憶している。また、特許文献２，３記載の表示制御方式および表示装置では、条件により、画面全体の表示データを書き換える手段と、画面の一部を書き換える手段とを切り換えている。
【０００４】
強誘電性液晶表示装置は、強誘電性液晶自体が双安定性を有し、強誘電性液晶を含む表示パネル自体がメモリ性を有している。表示データを書き換える際は、画面の変更筒所だけを部分的に走査し、変更しない箇所はメモリ性を用いて表示する。したがって、画面全体をリフレッシュする必要がなく、画面に全くちらつきがでないので省電力化が可能で表示品質も向上させることができる。
【０００５】
特許文献４，５記載の強誘電性液晶表示装置は、表示器の走査ラインに対応するフラグを有し、表示メモリに表示データの書き込みが行われると、書き込みが行われた走査ラインに対応するフラグをセットする。表示メモリから表示器に表示データを転送するときは、フラグを参照し、セットされたフラグに対応する走査ラインのデータを転送する。
【０００６】
【特許文献１】特開昭６３−１９８０９５号公報
【特許文献２】特開平２−２３５０９４号公報
【特許文献３】特開平３−１０９５２４号公報
【特許文献４】特許第２６５２２２０号公報
【特許文献５】特許第２６５２２２１号公報
【発明の開示】
【発明が解決しようとする課題】
【０００７】
上記のように従来技術では、書き換えようとする表示データの転送量を小さくするなどして書き換え処理の効率化を図っているが、十分ではない。
【０００８】
本発明の目的は、出力するデータ量を十分に低減することができる表示制御装置、表示装置、表示制御方法、表示制御プログラムおよび表示制御プログラムを記録したコンピュータ読み取り可能な記録媒体を提供することである。
【課題を解決するための手段】
【０００９】
本発明は、入力された画像データを表示メモリに書き込み、表示メモリに書き込んだ画像データに基づく表示用データを液晶表示パネルに出力する表示制御装置であって、
前記入力された画像データを表示メモリに書き込む制御部と、
前記液晶表示パネルの表示ラインに対応するフラグと、
前記画像データの状態をフラグに書き込む監視部と、
前記液晶表示パネルに対して表示用データを出力する出力部とを備え、
前記画像データは、画素ごとに表示、非表示を示す画素データを含み、
前記フラグは、
現在液晶表示パネルに表示している画像データの状態を示す第１フラグと、
前記表示メモリに書き込む画像データの状態を示す第２および第３フラグとを有し、
前記監視部は、
前記表示ラインが、表示を示す画素を含むかどうかを判断して前記第１フラグに書き込み、
前記表示ラインが、前記表示メモリに画素データが書き込まれた画素を含むかどうかを判断して前記第２フラグに書き込み、
前記表示ラインが、前記表示メモリに表示を示す画素データが書き込まれた画素を含むかどうかを判断して前記第３フラグに書き込み、
前記出力部は、前記第１〜第３フラグに基づいて前記表示用データを作成して出力することを特徴とする表示制御装置である。
【００１０】
また本発明は、入力された画像データを表示メモリに書き込み、表示メモリに書き込んだ画像データに基づく表示用データを液晶表示パネルに出力する表示制御装置であって、
前記入力された画像データを表示メモリに書き込む制御部と、
前記液晶表示パネルの表示ラインに対応するフラグと、
前記画像データの状態をフラグに書き込む監視部と、
前記表示用データの状態をフラグに書き込む演算部と、
前記液晶表示パネルに対して表示用データを出力する出力部とを備え、
前記画像データは、画素ごとに表示、非表示を示す画素データを含み、
前記フラグは、
現在液晶表示パネルに表示している画像データの状態を示す第１フラグと、
前記表示メモリに書き込む画像データの状態を示す第２および第３フラグと、
前記表示用データの状態を示す第４フラグとを有し、
前記監視部は、
前記表示ラインが、表示を示す画素を含むかどうかを判断して前記第１フラグに書き込み、
前記表示ラインが、前記表示メモリに画素データが書き込まれた画素を含むかどうかを判断して前記第２フラグに書き込み、
前記表示ラインが、前記表示メモリに表示を示す画素データが書き込まれた画素を含むかどうかを判断して前記第３フラグに書き込み、
前記演算部は、前記第１〜第３フラグに基づいて論理演算を行い、画素データを出力すべき表示ラインを判断して第４フラグに書き込み、
前記出力部は、前記第４フラグに基づいて前記表示用データを作成して出力することを特徴とする表示制御装置である。
【００１１】
また本発明は、前記演算部の論理演算は、前記表示メモリに書き込まれた画素を含む表示ラインが、表示画素を含む表示ラインか、または表示を示す画素データが前記表示メモリに書き込まれた画素を含む表示ラインかを判断することを特徴とする。
【００１２】
また本発明は、前記演算部は、前記第１〜第３フラグに基づいて論理演算を行い、表示画素を含む表示ラインを示す第５フラグに書き込み、
前記監視部は、前記第５フラグに基づいて表示画素を含むかどうかを判断し、前記第１フラグを書き換えることを特徴とする。
【００１３】
また本発明は、入力されたカラー画像データを表示メモリに書き込み、表示メモリに書き込んだカラー画像データに基づく表示用データを液晶表示パネルに出力する表示制御装置であって、
前記入力されたカラー画像データを表示メモリに書き込む制御部と、
前記液晶表示パネルの表示ラインに対応するフラグと、
前記カラー画像データの状態をフラグに書き込む監視部と、
背景色の情報を記憶する階調記憶部と、
前記液晶表示パネルに対して表示用データを出力する出力部とを備え、
前記カラー画像データは、画素ごとに少なくとも色または階調値を示す画素データを含み、
前記フラグは、
現在液晶表示パネルに表示しているカラー画像データの状態を示す第１フラグと、
前記表示メモリに書き込むカラー画像データの状態を示す第２および第３フラグとを有し、
前記監視部は、
前記表示ラインが、背景色以外に表示を示す画素を含むかどうかを判断して前記第１フラグに書き込み、
前記表示ラインが、前記表示メモリに画素データが書き込まれた画素を含むかどうかを判断して前記第２フラグに書き込み、
前記表示ラインが、前記表示メモリに背景色以外に表示を示す画素データが書き込まれた画素を含むかどうかを判断して前記第３フラグに書き込み、
前記出力部は、前記第１〜第３フラグに基づいて前記表示用データを作成して出力することを特徴とする表示制御装置である。
【００１４】
また本発明は、入力されたカラー画像データを表示メモリに書き込み、表示メモリに書き込んだカラー画像データに基づく表示用データを液晶表示パネルに出力する表示制御装置であって、
前記入力されたカラー画像データを表示メモリに書き込む制御部と、
前記液晶表示パネルの表示ラインに対応するフラグと、
前記カラー画像データの状態をフラグに書き込む監視部と、
前記表示用データの状態をフラグに書き込む演算部と、
前記液晶表示パネルに対して表示用データを出力する出力部とを備え、
前記カラー画像データは、画素ごとに少なくとも色または階調値を示す画素データを含み、
前記フラグは、
現在液晶表示パネルに表示しているカラー画像データの状態を示す第１フラグと、
前記表示メモリに書き込むカラー画像データの状態を示す第２および第３フラグと、
前記表示用データの状態を示す第４フラグとを有し、
前記監視部は、
前記表示ラインが、背景色以外に表示を示す画素を含むかどうかを判断して前記第１フラグに書き込み、
前記表示ラインが、前記表示メモリに画素データが書き込まれた画素を含むかどうかを判断して前記第２フラグに書き込み、
前記表示ラインが、前記表示メモリに背景色以外に表示を示す画素データが書き込まれた画素を含むかどうかを判断して前記第３フラグに書き込み、
前記演算部は、前記第１〜第３フラグに基づいて論理演算を行い、画素データを出力すべき表示ラインを判断して第４フラグに書き込み、
前記出力部は、前記第４フラグに基づいて前記表示用データを作成して出力することを特徴とする表示制御装置である。
【００１５】
また本発明は、前記演算部の論理演算は、前記表示メモリに書き込まれた画素を含む表示ラインが、背景色以外の画素を含むか、または背景色以外の表示を示す画素データが前記表示メモリに書き込まれた画素を含む表示ラインかを判断することを特徴とする。
【００１６】
また本発明は、前記演算部は、前記第１〜第３フラグに基づいて論理演算を行い、背景色以外の画素を含む表示ラインを示す第５フラグに書き込み、
前記監視部は、前記第５フラグに基づいて背景色以外の画素を含むかどうかを判断し、前記第１フラグを書き換えることを特徴とする。
【００１７】
また本発明は、上記の表示制御装置と、
前記表示制御装置から出力された表示用データを表示する液晶表示パネルとを備えることを特徴とする表示装置である。
【００１８】
また本発明は、入力された画像データを制御部が表示メモリに書き込み、表示メモリに書き込んだ画像データおよび前記液晶表示パネルの表示ラインに対応するフラグに基づく表示用データを出力部が液晶表示パネルに出力する表示制御方法であって、
前記画像データは、画素ごとに表示、非表示を示す画素データを含み、
前記表示ラインが、表示を示す画素を含むかどうかを判断して第１フラグに書き込み、
前記表示ラインが、前記表示メモリに画素データが書き込まれた画素を含むかどうかを判断して第２フラグに書き込み、
前記表示ラインが、前記表示メモリに表示を示す画素データが書き込まれた画素を含むかどうかを判断して第３フラグに書き込み、
前記第１〜第３フラグに基づいて、前記出力部が前記表示用データを作成して出力することを特徴とする表示制御方法である。
【００１９】
また本発明は、入力されたカラー画像データを制御部が表示メモリに書き込み、表示メモリに書き込んだカラー画像データおよび前記液晶表示パネルの表示ラインに対応するフラグに基づく表示用データを出力部が液晶表示パネルに出力する表示制御方法であって、
前記カラー画像データは、画素ごとに少なくとも色または階調値を示す画素データを含み、
前記表示ラインが、背景色以外に表示を示す画素を含むかどうかを判断して第１フラグに書き込み、
前記表示ラインが、前記表示メモリに画素データが書き込まれた画素を含むかどうかを判断して第２フラグに書き込み、
前記表示ラインが、前記表示メモリに背景色以外に表示を示す画素データが書き込まれた画素を含むかどうかを判断して第３フラグに書き込み、
前記第１〜第３フラグに基づいて、前記出力部が前記表示用データを作成して出力することを特徴とする表示制御方法である。
【００２０】
また本発明は、コンピュータに上記の表示制御方法を実行させることを特徴とする表示制御プログラムである。
【００２１】
また本発明は、コンピュータに上記の表示制御方法を実行させることを特徴とする表示制御プログラムを記録したコンピュータ読み取り可能な記録媒体である。
【発明の効果】
【００２２】
本発明によれば、入力された画像データを制御部が表示メモリに書き込み、表示メモリに書き込んだ画像データおよび液晶表示パネルの表示ラインに対応するフラグに基づく表示用データを、出力部が液晶表示パネルに出力する表示制御装置である。
【００２３】
監視部は、前記表示ラインが、表示を示す画素を含むかどうかを判断し、含んでいれば第１フラグをオンにセットする。また、前記表示ラインが、前記表示メモリに画素データが書き込まれた画素を含むかどうかを判断し、含んでいれば第２フラグをオンにセットする。さらに、前記表示ラインが、前記表示メモリに表示を示す画素データが書き込まれた画素を含むかどうかを判断し、含んでいれば第３フラグをオンにセットする。
【００２４】
このようにしてセットされた前記第１〜第３フラグに基づいて、前記表示用データを作成して出力する。
【００２５】
前記第１〜第３フラグに基づいて、たとえば、画素データが前記表示メモリに書き込まれた画素を含む表示ラインであって、表示画素を含む表示ラインか、表示を示す画素データが前記表示メモリに書き込まれた画素を含む表示ラインかを判断することができ、このような表示ラインの画素データのみを出力することで出力するデータ量を低減することができる。
【００２６】
また本発明によれば、入力された画像データを制御部が表示メモリに書き込み、表示メモリに書き込んだ画像データおよび液晶表示パネルの表示ラインに対応するフラグに基づく表示用データを、出力部が液晶表示パネルに出力する表示制御装置である。
【００２７】
監視部は、前記表示ラインが、表示を示す画素を含むかどうかを判断し、含んでいれば第１フラグをオンにセットする。また、前記表示ラインが、前記表示メモリに画素データが書き込まれた画素を含むかどうかを判断し、含んでいれば第２フラグをオンにセットする。さらに、前記表示ラインが、前記表示メモリに表示を示す画素データが書き込まれた画素を含むかどうかを判断し、含んでいれば第３フラグをオンにセットする。
【００２８】
演算部は、前記第１〜第３フラグに基づいて論理演算を行い、画素データを出力すべき表示ラインを判断し、出力すべき表示ラインについては第４フラグをオンにセットする。
【００２９】
このようにしてセットされた前記第４フラグに基づいて、前記表示用データを作成して出力する。
【００３０】
前記第４フラグに基づいて、たとえば、画素データが前記表示メモリに書き込まれた画素を含む表示ラインであって、表示画素を含む表示ラインか、表示を示す画素データが前記表示メモリに書き込まれた画素を含む表示ラインかを判断することができ、このような表示ラインの画素データのみを出力することで出力するデータ量を低減することができる。また、論理演算によって前記第４フラグをセットするので、データ出力を判断するための画像データを記憶しておく必要がない。
【００３１】
また本発明によれば、前記演算部の論理演算は、前記表示メモリに書き込まれた画素を含む表示ラインが、表示画素を含む表示ラインか、または表示を示す画素データが前記表示メモリに書き込まれた画素を含む表示ラインかを判断する。
これにより、表示用データの出力が必要な表示ラインを容易に判断することができる。
【００３２】
また本発明によれば、前記演算部は、前記第１〜第３フラグに基づいて論理演算を行い、表示画素を含む表示ラインを示す第５フラグに書き込む。前記監視部は、前記第５フラグに基づいて前記表示ラインが表示画素を含むかどうかを判断し、前記第１フラグを書き換える。
【００３３】
これにより、論理演算に基づいて前記第１フラグを書き換えるので、現在液晶表示パネルに表示している画像データを記憶しておく必要がない。
【００３４】
また本発明によれば、入力されたカラー画像データを制御部が表示メモリに書き込み、表示メモリに書き込んだカラー画像データおよび液晶表示パネルの表示ラインに対応するフラグに基づく表示用データを、出力部が液晶表示パネルに出力する表示制御装置である。
【００３５】
監視部は、前記表示ラインが、背景色以外に表示を示す画素を含むかどうかを判断し、含んでいれば第１フラグをオンにセットする。また、前記表示ラインが、前記表示メモリに画素データが書き込まれた画素を含むかどうかを判断し、含んでいれば第２フラグをオンにセットする。さらに、前記表示ラインが、前記表示メモリに背景色以外に表示を示す画素データが書き込まれた画素を含むかどうかを判断し、含んでいれば第３フラグをオンにセットする。
【００３６】
このようにしてセットされた前記第１〜第３フラグに基づいて、前記表示用データを作成して出力する。
【００３７】
前記第１〜第３フラグに基づいて、たとえば、画素データが前記表示メモリに書き込まれた画素を含む表示ラインであって、背景色以外の画素か、背景色以外の表示を示す画素データが前記表示メモリに書き込まれた画素を含む表示ラインを判断することができ、このような表示ラインの画素データのみを出力することで出力するデータ量を低減することができる。
【００３８】
また本発明によれば、入力されたカラー画像データを制御部が表示メモリに書き込み、表示メモリに書き込んだカラー画像データおよび液晶表示パネルの表示ラインに対応するフラグに基づく表示用データを、出力部が液晶表示パネルに出力する表示制御装置である。
【００３９】
監視部は、前記表示ラインが、背景色以外に表示を示す画素を含むかどうかを判断し、含んでいれば第１フラグをオンにセットする。また、前記表示ラインが、前記表示メモリに画素データが書き込まれた画素を含むかどうかを判断し、含んでいれば第２フラグをオンにセットする。さらに、前記表示ラインが、前記表示メモリに背景色以外に表示を示す画素データが書き込まれた画素を含むかどうかを判断し、含んでいれば第３フラグをオンにセットする。
【００４０】
演算部は、前記第１〜第３フラグに基づいて論理演算を行い、画素データを出力すべき表示ラインを判断し、出力すべき表示ラインについては第４フラグをオンにセットする。
【００４１】
このようにしてセットされた前記第４フラグに基づいて、前記表示用データを作成して出力する。
【００４２】
前記第４フラグに基づいて、たとえば、画素データが前記表示メモリに書き込まれた画素を含む表示ラインであって、背景色以外の画素を含むか、背景色以外の表示を示す画素データが前記表示メモリに書き込まれた画素を含む表示ラインを判断することができ、このような表示ラインの画素データのみを出力することで出力するデータ量を低減することができる。また、論理演算によって前記第４フラグをセットするので、データ出力を判断するための画像データを記憶しておく必要がない。
【００４３】
また本発明によれば、前記演算部の論理演算は、前記表示メモリに書き込まれた画素を含む表示ラインが、背景色以外の画素を含む表示ラインか、または背景色以外の表示を示す画素データが前記表示メモリに書き込まれた画素を含む表示ラインかを判断する。
これにより、表示用データの出力が必要な表示ラインを容易に判断することができる。
【００４４】
また本発明によれば、前記演算部は、前記第１〜第３フラグに基づいて論理演算を行い、背景色以外の画素を含む表示ラインを示す第５フラグに書き込む。前記監視部は、前記第５フラグに基づいて背景色以外の画素を含むかどうかを判断し、前記第１フラグを書き換える。
【００４５】
これにより、論理演算に基づいて前記第１フラグを書き換えるので、現在液晶表示パネルに表示している画像データを記憶しておく必要がない。
【００４６】
また本発明によれば、上記の表示制御装置と、前記表示制御装置から出力された表示用データを表示する液晶表示パネルとを備えることを特徴とする表示装置である。
【００４７】
これにより、表示用データの量が低減されるので、画像データの表示にかかる処理時間を短縮することができる。
【００４８】
また本発明によれば、入力された画像データを制御部が表示メモリに書き込み、表示メモリに書き込んだ画像データおよび前記液晶表示パネルの表示ラインに対応するフラグに基づく表示用データを出力部が液晶表示パネルに出力する表示制御方法である。
前記画像データは、画素ごとに表示、非表示を示す画素データを含む。
【００４９】
前記表示ラインが、表示を示す画素を含むかどうかを判断し、含んでいれば第１フラグをオンにセットする。また、前記表示ラインが、前記表示メモリに画素データが書き込まれた画素を含むかどうかを判断し、含んでいれば第２フラグをオンにセットする。さらに、前記表示ラインが、前記表示メモリに表示を示す画素データが書き込まれた画素を含むかどうかを判断し、含んでいれば第３フラグをオンにセットする。
【００５０】
このようにしてセットされた前記第１〜第３フラグに基づいて、前記表示用データを作成して出力する。
【００５１】
前記第１〜第３フラグに基づいて、たとえば、画素データが前記表示メモリに書き込まれた画素を含む表示ラインであって、表示画素を含む表示ラインか、表示を示す画素データが前記表示メモリに書き込まれた画素を含む表示ラインかを判断することができ、このような表示ラインの画素データのみを出力することで出力するデータ量を低減することができる。
【００５２】
また本発明によれば、入力されたカラー画像データを制御部が表示メモリに書き込み、表示メモリに書き込んだカラー画像データおよび前記液晶表示パネルの表示ラインに対応するフラグに基づく表示用データを出力部が液晶表示パネルに出力する表示制御方法である。
【００５３】
前記カラー画像データは、画素ごとに少なくとも色または階調値を示す画素データを含む。
【００５４】
前記表示ラインが、背景色以外に表示を示す画素を含むかどうかを判断し、含んでいれば第１フラグをオンにセットする。また、前記表示ラインが、前記表示メモリに画素データが書き込まれた画素を含むかどうかを判断し、含んでいれば第２フラグをオンにセットする。さらに、前記表示ラインが、前記表示メモリに背景色以外に表示を示す画素データが書き込まれた画素を含むかどうかを判断し、含んでいれば第３フラグをオンにセットする。
【００５５】
このようにしてセットされた前記第１〜第３フラグに基づいて、前記表示用データを作成して出力する。
【００５６】
前記第１〜第３フラグに基づいて、たとえば、画素データが前記表示メモリに書き込まれた画素を含む表示ラインであって、背景色以外の画素を含む表示ラインか、背景色以外の表示を示す画素データが前記表示メモリに書き込まれた画素を含む表示ラインかを判断することができ、このような表示ラインの画素データのみを出力することで出力するデータ量を低減することができる。
【００５７】
また本発明によれば、コンピュータを上記の表示制御装置として機能させるための表示制御プログラムおよび表示制御プログラムを記録したコンピュータ読み取り可能な記録媒体として提供することができる。
【発明を実施するための最良の形態】
【００５８】
図１は、本発明の実施の一形態である表示制御装置１の構成を示すブロック図である。
表示制御装置１は、アプリケーションソフトなどで作成された白黒２値の画像データをＣＰＵ（中央演算処理装置）から受け取り、ＶＲＡＭ（Video Random Access Memory）５に書き込む。ＶＲＡＭ５に書き込んだ画像データに基づいて、表示用データを作成し、強誘電性など表示画像のメモリ性を有する液晶表示ディスプレイのディスプレイドライバに対して表示用データを出力する。
表示制御装置１は、シーケンサ２、フラグ３および描画信号生成回路４を備える。
【００５９】
シーケンサ２は、ワークメモリ２１、監視部２２および演算部２３を有し、ＣＰＵから画像データ（アドレスデータおよび画素データ）およびライト信号を受信すると、画像データを一時的にワークメモリに記憶し、ＶＲＡＭ５に対してライト信号を出力し、画像データの書き込みを行う制御部である。
【００６０】
フラグ３は、Ａフラグ３１、Ｂフラグ３２、Ｃフラグ３３およびＤフラグ３４を有する。各フラグは、表示用データの１ラインごとにオンまたはオフをセットする。
【００６１】
Ａフラグ３１は、第１フラグであり、液晶表示ディスプレイの現在の表示状態を示すフラグである。ライン中の１画素でも黒表示があれば、そのラインについては、フラグをオンする。ライン中の全てが白表示またはデータ無しであればフラグをオフとする。
【００６２】
Ｂフラグ３２は、第２フラグであり、ＣＰＵから入力された画像データに基づいて、ＶＲＡＭ５にデータが書き込まれたラインを示すフラグである。ライン中の１画素でもデータが書き込まれればフラグをオンし、ライン中の全ての画素にデータが書き込まれなければフラグをオフとする。
【００６３】
Ｃフラグ３３は、第３フラグであり、ＶＲＡＭ５に書き込まれたデータが白表示以外のデータであるかどうかを示すフラグである。ライン中の１画素でも白表示以外のデータが書き込まれればフラグをオンし、ライン中の全ての画素に白表示のデータが書き込まれればフラグをオフとする。
【００６４】
Ｄフラグ３４は、第４フラグであり、ディスプレイドライバに対してデータを出力するラインかどうかを示すフラグである。Ｂフラグがオンであり、Ａフラグ、Ｃフラグのいずれかがオンである場合、そのラインに対する表示用データを出力する。すなわち、ＶＲＡＭ５への書き込みがあるラインであって、現在のデータが黒表示データを含むか、書き込まれたデータが黒表示データを含む場合は、フラグをオンする。書き込みがあるラインであって、現在のデータが全て白表示であり、書き込まれたデータも全て白表示であった場合は、書き込みがあるにもかかわらず、データが全て白表示で変化しないので、実質的にディスプレイドライバに対してそのラインの表示用データを出力する必要がないので、フラグをオフとする。
【００６５】
シーケンサ２の監視部２２は、ＣＰＵから受信した画像データを監視し、上記のフラグセット条件にしたがって、Ｂフラグ３２およびＣフラグ３３をセットする。
【００６６】
図２は、ＶＲＡＭ５の記憶領域と、フラグ３との関係を示す図である。ここでは、液晶表示ディスプレイのパネル６として６４０×４８０画素の構成をもつものとする。
【００６７】
ＶＲＡＭ５には、ＣＰＵから入力された画像データに基づいて、各アドレスに２値の画素データが記憶される。たとえば、アドレス“００００Ｈ”から“００４ＦＨ”の間にデータが書き込まれた場合は、１ライン目にデータが書き込まれたことになるので、監視部２２は、Ｂフラグ３２の１ライン目に対応するフラグをオンにセットする。また、書き込まれたデータが黒表示のデータであれば、Ｃフラグ３３の１ライン目に対応するフラグをオンにセットする。
【００６８】
演算部２３は、Ａフラグ３１、Ｂフラグ３２、Ｃフラグ３３のセット状態に基づいて、論理演算によりＤフラグ３４のオン・オフを決定する。
【００６９】
各フラグを識別するＡ〜Ｄが、各フラグの真、偽（１，０）を表すものとすると、Ｄは、演算式Ｄ＝Ｂ  ＡＮＤ  （Ａ  ＯＲ  Ｃ）で算出することができる。
【００７０】
この演算式により、演算部２３は、画素データがＶＲＡＭ５に書き込まれた画素を含む表示ラインであって、黒表示の画素を含む表示ラインか、黒表示を示す画素データがＶＲＡＭ５に書き込まれた画素を含む表示ラインかを判断してＤフラグ３４に書き込みを行っている。
【００７１】
また、演算部２３は、Ｄフラグ３４を反映した表示用データがディスプレイドライバに出力されると、書き換え後の表示状態を示す値Ａ’を論理演算により算出して不図示のＡ’フラグ（第５フラグ）に一時的に書き込み、算出結果を新たなＡとしてＡフラグ３１を書き換える。Ａ’は、演算式Ａ’＝（ＮＯＴＢ  ＡＮＤ  Ａ）ＯＲ（Ｂ  ＡＮＤ  Ｃ）で算出することができる。
【００７２】
描画信号生成回路４は、Ｄフラグ３４を参照して、ＶＲＡＭ５に書き込まれた画像データから表示用データを作成し、ディスプレイドライバへ出力する出力部である。
【００７３】
図３および図４は、フラグセットの例を示す図である。
まず、何も表示されていない表示画面１０から文字が生じされた表示画面１１に書き換えられるものとする。なお、図面中の点線は、表示ラインの位置関係を表わしており、実際には表示されていないものとする。
【００７４】
表示画面に何も表示されていないので、Ａフラグ３１は全てオフにセットされている。表示画面１１のようなひらがなを表示するために、ＣＰＵから画像データが入力されると、シーケンサ２がＶＲＡＭ５に画像データを書き込む。このとき監視部２２は、アドレスデータに基づいてデータが書き込まれたラインを検出し、Ｂフラグ３２をセットする。ここでは、“あいうえお”〜“たちつてと”までのひらがなと、その行間も含めてデータが書き込まれたことを示している。
【００７５】
さらに、監視部２２は、書き込まれたデータが黒表示データである画素を含むラインを検出し、Ｃフラグ３３をセットする。上記のように、行間に対してもデータの書き込みは行われているが、行間のデータは白表示のデータであるため、Ｃフラグ３３では、行間に対応するラインについては、フラグをセットしない。
【００７６】
Ｃフラグ３３へのフラグセットが終了すると、演算部２３は、Ａフラグ３１、Ｂフラグ３２およびＣフラグ３３に基づいて論理演算を行い、演算結果をＤフラグ３４にセットする。
【００７７】
Ｄフラグ３４がセットされると、描画信号生成回路４は、Ｄフラグ３４を参照して、ＶＲＡＭ５に書き込まれた画像データから表示用データを作成し、ディスプレイドライバへ出力する。
【００７８】
また、演算部２３は、Ａフラグ３１、Ｂフラグ３２およびＣフラグ３３に基づいて論理演算を行い、演算結果Ａ’を新たなＡとしてＡフラグ３１を変更する。
【００７９】
図３に続いて、ひらがなが表示された表示画面１１からアルファベットが表示された表示画面１２に書き換えられるものとする。
【００８０】
Ａフラグ３１は、図３で算出されたＡ’がセットされている。表示画面１２のようにアルファベットを表示するために、ＣＰＵから画像データが入力されると、シーケンサ２がＶＲＡＭ５に画像データを書き込む。このとき監視部２２は、アドレスデータに基づいてデータが書き込まれたラインを検出し、Ｂフラグ３２をセットする。ここでは、“ＡＢＣＤＥ”〜“ＰＱＲＳＴ”までのアルファベットと、その行間も含めてデータが書き込まれたことを示している。
【００８１】
さらに、監視部２２は、書き込まれたデータが黒表示データである画素を含むラインを検出し、Ｃフラグ３３をセットする。上記のように、行間に対してもデータの書き込みは行われているが、行間のデータは白表示のデータであるため、Ｃフラグ３３では、行間に対応するラインについては、フラグをセットしない。
【００８２】
Ｃフラグ３３へのフラグセットが終了すると、演算部２３は、Ａフラグ３１、Ｂフラグ３２およびＣフラグ３３に基づいて論理演算を行い、演算結果をＤフラグ３４にセットする。
【００８３】
Ｄフラグ３４がセットされると、描画信号生成回路４は、Ｄフラグ３４を参照して、ＶＲＡＭ５に書き込まれた画像データから表示用データを作成し、ディスプレイドライバへ出力する。
【００８４】
また、演算部２３は、Ａフラグ３１、Ｂフラグ３２およびＣフラグ３３に基づいて論理演算を行い、演算結果Ａ’を新たなＡとしてＡフラグ３１を変更する。
【００８５】
図５は、フラグセットの他の例を示す図である。なお、図面中の点線は、表示ラインの位置関係を表わしており、実際には表示されていないものとする。
【００８６】
この例では、辞書アプリケーションソフト（以下では「辞書アプリ」と略称する。）が画像データを作成する。なお、表示画面１３，１４は、実際に表示される画面の一部を示している。辞書アプリは英和辞書アプリであり、検索処理によって、表示画面１３に示すように、“ｐａｐｅｒ”で始まる単語および熟語の候補を表示する。候補の中からユーザによって“ｐａｐｅｒ”が選択されると、英和辞書アプリは、表示画面１４のように、選択された“ｐａｐｅｒ”の意味などを表示しようとする。このとき、“ｐａｐｅｒ”の表示は変化させず、“ｐａｐｅｒ  ｃｈａｓｅ”以下の他の候補は、画面下側にずらして表示する。
【００８７】
また、英字は１２ドット、漢字は１６ドットで表示する。行間は２ドット分とし、意味を表示する場合は、画面下側の行間を大きくする。
【００８８】
Ａフラグ３１は、候補の表示画面１３に基づいて、行間以外のラインは全てフラグがオンにセットされている。表示画面１４のように“ｐａｐｅｒ”の意味を表示するために、ＣＰＵから画像データが入力されると、シーケンサ２がＶＲＡＭ５に画像データを書き込む。このとき監視部２２は、アドレスデータに基づいてデータが書き込まれたラインを検出し、Ｂフラグ３２をセットする。ここでは、“ｐａｐｅｒ”の表示は変化しないので、“ｐａｐｅｒ”の表示部分より下側のラインにフラグをセットする。
【００８９】
さらに、監視部２２は、書き込まれたデータが黒表示データである画素を含むラインを検出し、Ｃフラグ３３をセットする。表示画面１４のように、黒表示データである画素を含むラインは、“ｐａｐｅｒ”の意味を表示するラインと、下側にずれた他の候補を表示するラインである。
【００９０】
Ｃフラグ３３へのフラグセットが終了すると、演算部２３は、Ａフラグ３１、Ｂフラグ３２およびＣフラグ３３に基づいて論理演算を行い、演算結果をＤフラグ３４にセットする。
【００９１】
Ｄフラグ３４がセットされると、描画信号生成回路４は、Ｄフラグ３４を参照して、ＶＲＡＭ５に書き込まれた画像データから表示用データを作成し、ディスプレイドライバへ出力する。
【００９２】
また、演算部２３は、Ａフラグ３１、Ｂフラグ３２およびＣフラグ３３に基づいて論理演算を行い、演算結果Ａ’を新たなＡとしてＡフラグ３１を変更する。
【００９３】
図６は、表示制御装置１による表示制御処理を示すフローチャートである。
ステップＳ１では、初期化を行い、Ａフラグ３１〜Ｄフラグ３４の全てのフラグをオフ（０）にセットする。
【００９４】
ステップＳ２では、シーケンサ２が、アプリケーションソフトなどにより作成された画像データをＣＰＵから受け取り、ＶＲＡＭ５に書き込む。
【００９５】
ステップＳ３では、監視部２２が、アドレスデータに基づいて、書き込みが行われたラインを検出し、Ｂフラグ３２の検出したラインに対応するフラグをオンにセットする。
【００９６】
ステップＳ４では、監視部２２が、アドレスデータおよび画素データに基づいて、書き込みが行われたラインのうち、黒表示データの画素を含むラインを検出し、Ｃフラグ３３の検出したラインに対応するフラグをオンにセットする。
【００９７】
ステップＳ５では、ＣＰＵから表示更新命令が入力されたかどうかを判断する。入力されればステップＳ６に進み、入力されなければステップＳ２に戻る。
【００９８】
ステップＳ６では、演算部２３が、Ａフラグ３１、Ｂフラグ３２およびＣフラグ３３に基づいて、演算式Ｄ＝Ｂ  ＡＮＤ  （Ａ  ＯＲ  Ｃ）で論理演算を行う。
【００９９】
ステップＳ７では、演算結果をＤフラグ３４にセットする。
【０１００】
ステップＳ８では、描画信号生成回路４が、Ｄフラグ３４を参照して、ＶＲＡＭ５に書き込まれた画像データから表示用データを作成する。
【０１０１】
ステップＳ９では、描画信号生成回路４が、作成した表示用データをディスプレイドライバへ出力する。
【０１０２】
ステップＳ１０では、演算部２３が、Ａフラグ３１、Ｂフラグ３２およびＣフラグ３３に基づいて、演算式Ａ’＝（ＮＯＴＢ  ＡＮＤ  Ａ）ＯＲ（Ｂ  ＡＮＤ  Ｃ）で論理演算を行い、演算結果Ａ’を新たなＡとしてＡフラグ３１を変更する。
【０１０３】
ステップＳ１１では、Ｂフラグ３２、Ｃフラグ３３およびＤフラグ３４の全てのフラグをオフ（０）にセットする。
【０１０４】
ステップＳ１２では、表示するべき次のページがあるかどうかを判断する。次ページがあればステップＳ２に戻り、なければ処理を終了する。
【０１０５】
以上のように、表示内容が書き換えの前後で変わらず白表示となるような画素データについては出力する必要がなく、表示内容が変化する画素データのみを出力することで出力するデータ量を低減することができる。
【０１０６】
図７は、本発明の他の実施形態である表示制御装置４１の構成を示すブロック図である。図１に示した表示制御装置１は、白黒２値画像データの表示を制御するのに対し、表示制御装置４１は、カラー多値画像データの表示を制御する。また、表示制御装置４１の構成は、図１に示した表示制御装置１の構成と類似しているので、異なる部分のみ説明し、同様の動作を行う部分については同じ参照符号を付して説明を省略する。
【０１０７】
シーケンサ４２は、ワークメモリ２１、監視部２２および演算部２３に加えて階調記憶部４３を有している。階調記憶部４３は、背景色の色情報、階調値などを記憶する。
【０１０８】
フラグ４４は、Ｃフラグ３３に代えてＥフラグ３５を有している。Ｅフラグ３５は、ＶＲＡＭ５に書き込まれたデータが背景色表示以外のデータであるかどうかを示すフラグである。ライン中の１画素でも背景色表示以外のデータが書き込まれればフラグをオンし、ライン中の全ての画素に背景色表示のデータが書き込まれればフラグをオフとする。
【０１０９】
シーケンサ４２の監視部２２は、ＣＰＵから受信した画像データを監視し、階調記憶部４３に記憶されている背景色の情報を参照して上記のフラグセット条件にしたがって、Ｅフラグ３５をセットする。
【０１１０】
図８は、表示制御装置４１による表示制御処理を示すフローチャートである。
ステップＳ２１では、初期化を行い、Ａフラグ３１、Ｂフラグ３２、Ｄフラグ３４およびＥフラグ３５の全てのフラグをオフ（０）にセットする。
【０１１１】
ステップＳ２２では、シーケンサ４２が、アプリケーションソフトなどにより作成された画像データをＣＰＵから受け取り、ＶＲＡＭ５に書き込む。
【０１１２】
ステップＳ２３では、監視部２２が、アドレスデータに基づいて、書き込みが行われたラインを検出し、Ｂフラグ３２の検出したラインに対応するフラグをオンにセットする。
【０１１３】
ステップＳ２４では、監視部２２が、アドレスデータおよび画素データに基づいて、書き込みが行われたラインのうち、背景色表示以外のデータの画素を含むラインを検出し、Ｅフラグ３５の検出したラインに対応するフラグをオンにセットする。
【０１１４】
ステップＳ２５では、ＣＰＵから表示更新命令が入力されたかどうかを判断する。入力されればステップＳ２６に進み、入力されなければステップＳ２２に戻る。
【０１１５】
ステップＳ２６では、演算部２３が、Ａフラグ３１、Ｂフラグ３２およびＥフラグ３５に基づいて、演算式Ｄ＝Ｂ  ＡＮＤ  （Ａ  ＯＲ  Ｅ）で論理演算を行う。
ステップＳ２７では、演算結果をＤフラグ３４にセットする。
【０１１６】
ステップＳ２８では、描画信号生成回路４が、Ｄフラグ３４を参照して、ＶＲＡＭ５に書き込まれた画像データから表示用データを作成する。
【０１１７】
ステップＳ２９では、描画信号生成回路４が、作成した表示用データをディスプレイドライバへ出力する。
【０１１８】
ステップＳ３０では、演算部２３が、Ａフラグ３１、Ｂフラグ３２およびＥフラグ３５に基づいて、演算式Ａ’＝（ＮＯＴＢ  ＡＮＤ  Ａ）ＯＲ（Ｂ  ＡＮＤ  Ｅ）で論理演算を行い、演算結果Ａ’を新たなＡとしてＡフラグ３１を変更する。
【０１１９】
ステップＳ３１では、Ｂフラグ３２、Ｃフラグ３３およびＥフラグ３５の全てのフラグをオフ（０）にセットする。
【０１２０】
ステップＳ３２では、表示するべき次のページがあるかどうかを判断する。次ページがあればステップＳ２２に戻り、なければ処理を終了する。
【０１２１】
なお、上記では監視部、演算部、フラグなどがシーケンサに含まれる構成として説明したがこれに限らず、表示制御装置に含まれていれば、それぞれが独立した構成であってもよい。
【０１２２】
また、本発明の他の実施形態は、コンピュータを表示制御装置として機能させるための表示制御プログラム、および表示制御プログラムを記録したコンピュータ読み取り可能な記録媒体である。これによって、表示制御プログラムおよび表示制御プログラムを記録した記録媒体を持ち運び自在に提供することができる。
【０１２３】
記録媒体は、プリンタやコンピュータシステムに備えられるプログラム読み取り装置により読み取られることで、表示制御プログラムが実行される。
【０１２４】
コンピュータシステムは、これらの入力手段と、所定のプログラムがロードされることにより表示制御などを実行するコンピュータと、コンピュータの処理結果を表示するＣＲＴディスプレイ・液晶ディスプレイなどの表示装置と、コンピュータの処理結果を紙などに出力するプリンタより構成される。さらには、ネットワークを介してサーバーなどに接続するための通信手段としてのＬＡＮ（Local Area Network）インターフェイスなどが備えられる。
【０１２５】
なお、記録媒体としては、プログラム読み取り装置によって読み取られるものには限らず、マイクロコンピュータのメモリ、たとえばＲＯＭであっても良い。記録されているプログラムはマイクロプロセッサがアクセスして実行しても良いし、あるいは、記録媒体から読み出したプログラムを、マイクロコンピュータのプログラム記憶エリアにダウンロードし、そのプログラムを実行してもよい。このダウンロード機能は予めマイクロコンピュータが備えているものとする。
【０１２６】
記録媒体の具体的な例としては、磁気テープやカセットテープなどのテープ系、フレキシブルディスクやハードディスクなどの磁気ディスクやＣＤ−ＲＯＭ（Compact Disc-
Read Only Memory）／ＭＯ（Magneto Optical）ディスク／ＭＤ（Mini Disc）／ＤＶＤ（Digital Versatile Disc）などの光ディスクのディスク系、ＩＣ（Integrated Circuit）カード（メモリカードを含む）／光カードなどのカード系、あるいはマスクＲＯＭ、ＥＰＲＯＭ（Erasable Programmable Read Only Memory）、ＥＥＰＲＯＭ（Electrically
Erasable Programmable Read Only Memory）、フラッシュＲＯＭなどの半導体メモリを含めた固定的にプログラムを担持する媒体である。
【０１２７】
また、本実施形態においては、コンピュータはインターネットを含む通信ネットワークに接続可能なシステム構成とし、通信ネットワークを介して画像処理プログラムをダウンロードしても良い。なお、このように通信ネットワークからプログラムをダウンロードする場合には、そのダウンロード機能は予めコンピュータに備えておくか、あるいは別な記録媒体からインストールされるものであっても良い。また、ダウンロード用のプログラムはユーザーインターフェースを介して実行されるものであっても良いし、決められたＵＲＬ（Uniform Resource Locater）から定期的にプログラムをダウンロードするようなものであっても良い。
【０１２８】
なお、上記では本発明を表示制御装置として説明したが、これに限らずＶＲＡＭおよび液晶表示パネルなどを含む表示装置であってもよい。
【図面の簡単な説明】
【０１２９】
【図１】本発明の実施の一形態である表示制御装置１の構成を示すブロック図である。
【図２】ＶＲＡＭ５の記憶領域と、フラグ３との関係を示す図である。
【図３】フラグセットの例を示す図である。
【図４】フラグセットの例を示す図である。
【図５】フラグセットの他の例を示す図である。
【図６】表示制御装置１による表示制御処理を示すフローチャートである。
【図７】本発明の他の実施形態である表示制御装置４１の構成を示すブロック図である。
【図８】表示制御装置４１による表示制御処理を示すフローチャートである。
【符号の説明】
【０１３０】
１，４１  表示制御装置
２，４２  シーケンサ
３，４４  フラグ
４  描画信号生成回路
５  ＶＲＡＭ
２１  ワークメモリ
２２  監視部
２３  演算部
３１  Ａフラグ
３２  Ｂフラグ
３３  Ｃフラグ
３４  Ｄフラグ
３５  Ｅフラグ
【図１】
2006251072.tif 000003
【図２】
2006251072.tif 000004
【図３】
2006251072.tif 000005
【図４】
2006251072.tif 000006
【図５】
2006251072.tif 000007
【図６】
2006251072.tif 000008
【図７】
2006251072.tif 000009
【図８】
2006251072.tif 000010